(57)【要約】      （修正有）【課題】家屋や自動車内で椅子の座面と背もたれに当てて使用する椅子カバーを提供する。【解決手段】い筋（スジ）が横方向になるように畳表を用い、各辺が等長の八角形でそのタテとヨコの延長方向で直交する４個の辺が座面の周縁に達する形状のものを複数枚重ね周縁を畳縁（ヘリ）で包み座面カバー１とし、又、座面カバー１の八角形においてそのタテ方向で対向する２辺を各２倍の長さにしたタテ長八角形を複数枚重ね周縁を畳縁で包み背もたれカバー２とし、カバー１、２におけるヨコ方向で等長の辺同士を畳糸で連結してある。なお、一辺１６ｃｍの八角形の座面カバー１と、一辺１６ｃｍの八角形で対向するタテ方向の二辺を３２ｃｍにした背もたれカバー２とからなる。椅子カバーの背もたれカバー２頂部の一辺に布製のリング４を付けて自動車内背もたれのヘッドレストに掛け、また座面カバー１単独を座面に当てて使用してもよい。【選択図】図１
0003147221.tif 000002
【実用新案登録請求の範囲】
【請求項１】
椅子のそれぞれ方形をなす座面と背もたれに当てて使用する椅子カバーとして、い筋（スジ）が横方向になるように畳表を用い、各辺が等長の八角形においてそのタテとヨコの延長方向で直交する４個の辺が座面の周縁に達する形状のものを複数枚重ね合わせ、その周縁を畳縁（ヘリ）で包み、縫い合わせたものを座面カバー（１）とし、また、座面カバー（１）用の八角形においてそのタテ方向で対向する２辺を各々２倍の長さにしたタテ長の八角形を複数枚重ね合わせ、その周縁を畳縁で包み、縫い合わせたものを背もたれカバー（２）として、両方のカバー（１）、（２）におけるヨコ方向で等長の辺同士を畳糸で連結してある椅子カバー。
【請求項２】
八角形で一辺が１６ｃｍの座面カバー（１）と、一辺が１６ｃｍの八角形において対向するタテ方向の二辺がそれぞれ３２ｃｍであるある背もたれカバー（２）とからなる請求項１記載の椅子カバー。
【請求項３】
背もたれカバー（２）頂部の一辺に布を用いてリング（４）を形成し自動車内椅子の背もたれのヘッドレスト（頭部保護部）に掛けるようにしてある請求項１または請求項２記載の椅子カバー。
【請求項４】
椅子の座面に当てて使用する請求項１または請求項２記載の座面カバー（１）。
【考案の詳細な説明】
【技術分野】
【０００１】
本考案は屋内および自動車内で使用する椅子の座面と背もたれに当てる椅子カバーおよび座面に当てる座面のカバーに関する。
【背景技術】
【０００２】
従来、屋内や自動車内で座面に当てて使用するものとして布製等の座布団が広く使用されているが、長時間の使用で熱気がこもり蒸されて不快感を招くことが多い。自動車用にマッサージ効果を狙った背当てもあるが汎用されるまでには至っていない。とくに、自動車用として提案されている考案に、特許文献１があり、長時間の使用に快適な座り心地を提供するため、立方体状の袋の内部にゼリー状のゲル化物質を使用し自動車の運転椅子用等に使用する座布団が提案されているが、柔軟に過ぎ、かえって疲労しやすい。また、特許文献２では座席と尻との間に丈夫で柔軟な合成樹脂又はゴム製で、水または空気を入れた座布団を入れ止め金具で閉じて使用し、体重を広く分散して接触圧を弱めるというが、かえって疲労しやすい。さらに、特許文献３で自動車の座席等で使用する尾てい骨の痛くならない座布団として、左右の座布団間に空間部を設けているが、不安定であり、長時間の使用で疲労しやすい。
【特許文献１】実開平６ー６６４１０
【特許文献２】実開平４ー７７３５７
【特許文献３】実用新案登録第３０９７３７０号
【考案の開示】
【考案が解決しようとする課題】
【０００３】
本考案は屋内や自動車内で快適に使用する椅子の座面と背もたれに当てる椅子カバーや座面のカバーを提供せんとするものである。
【課題を解決するための手段】
【０００４】
ここにおいて本考案者は屋内や自動車内で椅子のそれぞれ方形をなす座面と背もたれに当てて使用する椅子カバーとして、い筋（スジ）が横方向になるように畳表を用い、各辺が等長の八角形においてそのタテとヨコの延長方向で直交する４個の辺が座面の周縁に達する形状のものを複数枚重ね合わせ、その周縁を畳縁（ヘリ）で包み、縫い合わせたものを座面カバー１とし、また、座面カバー１用の八角形においてそのタテ方向で対向する２辺を各々２倍の長さにしたタテ長の八角形を複数枚重ね合わせ、周縁を畳縁で包み、縫い合わせたものを背もたれカバー２として、両方のカバー１、２におけるヨコ方向で等長の辺同士を畳糸で連結してあるものを見出し、さらに、一辺が１６ｃｍの八角形である座面カバー１と、一辺１６ｃｍの八角形において対向するタテ方向の二辺をそれぞれ３２ｃｍにしてあ背もたれカバー２とからなる椅子カバーが汎用性あることを見出すに至った。なお、背もたれカバー２頂部の一辺に布片で形成したリング４を自動車内の背もたれのヘッドレスト（頭部保護部）に掛けるようにし、また、以上における座面カバー１を座面に当てて座面のカバーとして使用することができる。ここでい筋（スジ）が横方向になる畳表は１枚の畳を横長に置いた場合の畳表に相当する。
【考案の効果】
【０００５】
本考案の椅子カバーはそれを構成する座面カバーおよび背もたれカバーの形状として方形の角部が斜めに切り取られているので、腰や背を当てたとき、当該角部に当たらず、座り心地が良い。また、椅子カバーは材料がい草であるため、吸湿・放湿性にすぐれ、鎮静効果もあり、畳表を複数枚重ねて使用するので独特の弾力があり、触れて心地よく、自動車の安全運転上も好ましい。また、本考案の椅子カバーは、い筋（スジ）５が横方向になるように畳表を用いているので、型くずれがしにくく、扱い易く、収納もしやすい。自動車内で使用する場合は背もたれカバー２がタテ長の八角形になっていて、下側に傾斜辺があるのでシートベルトが掛けやすい。本考案の椅子カバーは畳表の余った半端な材料を利用しても製作することができるので資源の有効利用になる。本考案の椅子カバーや座面のカバーは屋内や自動車内の椅子を対象に使用できるので利用範囲が広い。なお、椅子カバーや座面のカバーとして寸法上、座面や背もたれに対し多少の過不足があっても実用される範囲のものは本考案に含まれるものとする。
【考案を実施するための最良の形態】
【０００６】
屋内や自動車内で椅子のそれぞれ方形をなす座面と背もたれに当てて使用する本考案の椅子カバーや座面のカバーは、形状保持のため、い筋（スジ）が横方向になるように畳表を用い、各辺が等長の八角形においてそのタテとヨコの延長方向で直交する４個の辺が方形の座面の周縁に達する形状のものを複数枚重ね合わせ、その周縁を畳縁（ヘリ）で包んで縫い合わせたものを座面カバー１とし、また、座面カバー１用の八角形においてそのタテ方向で対向する二辺を各々２倍の長さにしたタテ長の八角形を複数枚重ね合わせ、その周縁を畳縁で包んで、縫い合わせたものを背もたれカバー２として、両方のカバー１、２におけるヨコ方向で等長の辺同士を畳糸で連結して使用する。
【０００７】
とくに、一辺が１６ｃｍの八角形からなる座面カバー１と、一辺が１６ｃｍの八角形において対向するタテ方向の二辺をそれぞれ３２ｃｍにしてある背もたれカバー２とからなる椅子カバーは汎用性があるので量産に適する。
【０００８】
図１に椅子カバーの表側を示すが、その表側は両方のカバー１、２の周縁を規則的に配置した畳縁で包み、縫い合わせてあり、不使用時は座面カバー１と背もたれカバー２を両カバーの連結部３で内側に折り重ね平板状にして容易に収納ができる。なお、図１に示すごとく背もたれカバー２頂部の一辺に環状の布片を取り付けてリング４を形成し自動車内の背もたれのヘッドレスト（頭部保護部）に掛けるようにもできるが、リング４が不用な場合は、リング４を裏側に倒しておけばよい。本考案の椅子カバーにおいて、通常両方のカバー１、２をそれぞれ畳表３枚で構成し厚さを約１０ｍｍとしてあるが、枚数を増減し、柔軟性を調節することもできる。なお、座面カバー１を単独使用して座面のカバーにする場合は座面カバー１に紐を付けておき、背もたれ等に結びつけたほうがよい。
【実施例１】
【０００９】
実施例として、汎用のものを紹介しておく。すなわち、座面カバー１の八角形は一辺を１６ｃｍとし、背もたれカバー２のタテ長の八角形は対向するタテ方向の二辺をそれぞれ３２ｃｍとし、他辺は一辺が１６ｃｍにしてある。通常、い草の畳面は両方のカバー１、２でそれぞれ表・裏・中と３枚を使用し、周縁は畳縁（ヘリ）６で包み、縫い合わせて高級感を持たせてある。ここで、座面カバー１と背もたれカバー２との連結は重ね易いように畳糸で連結してある。自動車内用には通常、背もたれカバー２の頂部に布製のリング４を取り付けてある。なお、座面カバー１は単独使用しても汎用性がある。
【産業上の利用可能性】
【００１０】
本考案の椅子カバーならびに座面のカバーは畳表の半端な廃材を利用しても製作することができるので廃棄される塵が少なくなり、環境保全に役立ち、資源の有効利用にも貢献する。
【図面の簡単な説明】
【００１１】
【図１】本考案で自動車用とした椅子カバーの展開図
【符号の説明】
【００１２】
１  座面カバー
２  背もたれカバー
３  両カバーの連結部
４  リング
５  い筋（スジ）
６  畳縁（ヘリ）
【図１】
0003147221.tif 000003
【手続補正書】
【提出日】平成20年10月9日(2008.10.9)
【手続補正１】
【補正対象書類名】図面
【補正対象項目名】図１
【補正方法】変更
【補正の内容】
【図１】
0003147221.tif 000004